(57)【要約】【課題】  抓持力を強化した工業用手袋の提供。【解決手段】  内綿層と外ゴム層及び手指部分の抓持力を強化した強化層を具えている。該内綿層は手型に嵌合した後、更にゴム液に浸漬し、手型を取り出した後、内綿層上に付着したゴム液を加熱して乾燥して外ゴム層を形成する。その後、更に手袋の手指部分を別の抓持力強化可能なポリウレタンに浸漬し、抓持力を強化可能なポリウレタンを手袋の手指部分に付着させた後、手指部分の厚さをその他の部分より２０〜３０％増し、再度加熱して抓持力を強化した工業用手袋を形成する。【選択図】        図１
0003115638.tif 000002
【実用新案登録請求の範囲】
【請求項１】
手袋内部が内綿層とされ、外部が外ゴム層とされた抓持力を強化した工業用手袋において、手袋成形後に、上述の外ゴム層の手指部分が抓持力強化可能なゴム液中に浸漬され、取り出し並びに加熱されて、外ゴム層より厚さが２０〜３０％増加された強化層が形成されたことを特徴とする、抓持力を強化した工業用手袋。
【請求項２】
請求項１記載の抓持力を強化した工業用手袋において、強化層はポリウレタン材質とされたことを特徴とする、抓持力を強化した工業用手袋。
【請求項３】
請求項１記載の抓持力を強化した工業用手袋において、強化層が指先から指の第１及び第２関節の間まで延伸されたことを特徴とする、抓持力を強化した工業用手袋。
【請求項４】
請求項１記載の抓持力を強化した工業用手袋において、外ゴム層の材料がポリ塩化ビニル、天然ゴム、或いはニトライルブタジエンゴムとされたことを特徴とする、抓持力を強化した工業用手袋。
【請求項５】
抓持力を強化した工業用手袋において、内綿層と外ゴム層及び手指部分の抓持力を強化する強化層を包含し、該内綿層は手型に嵌合された後にゴム液に浸漬され、手型取り出し後に、内綿層に付着したゴム液が加熱されて乾燥され外ゴム層が形成され、その後、更に手袋の手指部分が別の抓持力強化可能なポリウレタンに浸漬され、抓持力強化可能なポリウレタンが手袋の手指部分に付着した後に、手指部分の厚さがその他の部分より２０〜３０％増加し、更に加熱されて形成されたことを特徴とする、抓持力を強化した工業用手袋。
【請求項６】
請求項５記載の抓持力を強化した工業用手袋において、強化層が指先から指の第１及び第２関節の間まで延伸されたことを特徴とする、抓持力を強化した工業用手袋。
【請求項７】
請求項５記載の抓持力を強化した工業用手袋において、外ゴム層の材料がポリ塩化ビニル、天然ゴム、或いはニトライルブタジエンゴムとされたことを特徴とする、抓持力を強化した工業用手袋。
【考案の詳細な説明】
【技術分野】
【０００１】
本考案は一種の工業用手袋に係り、特に手袋の手指部分を抓持力を強化可能なゴム液に浸漬して比較的厚い強化層を形成する、抓持力を強化した工業用手袋に関する。
【背景技術】
【０００２】
本出願人による特許文献１に記載の抓持力を強化した工業用手袋は、工業用手袋の内綿層にあって、手指部分にネット層をミシン縫いし、該ネット層を外ゴム層のゴムに浸漬する時に、付着するゴムの厚さを２０〜３０％増し、並びにネット層の形状により、手指部分の外ゴム層に強化溝を形成し、使用時の抓持力を強化している。
ただし、この工業用手袋は、抓持力強化の目的を達成するものの、製造時にネット層を縫い付ける必要があり、加工時間が増しコスト的に不利であり、このため改善が求められている。
【０００３】
【特許文献１】台湾実用新案公告第Ｍ２６２０３３号明細書
【考案の開示】
【考案が解決しようとする課題】
【０００４】
本考案の主要な目的は、前述の周知の技術を改良し、手袋成形後に、直接手指部分を抓持力強化可能なゴム液、例えばポリウレタンに浸漬し、取り出して加熱後に、手袋の手指部分に厚さがその他の部分より２０〜３０％増した強化層を形成し、手袋の抓持力を強化する。
【０００５】
これにより、本考案の主要な加工ステップは以下のようである。
１．内綿層に手型を挿入する。
２．手型をゴム液に浸漬する。
３．手型を取り出して加熱した後、内綿層に付着したゴム液を乾燥させ外ゴム層を形成する。
４．手指部分を再度別の抓持力強化可能なポリウレタンに浸漬する。
５．加熱後に製品を取り出す。
【課題を解決するための手段】
【０００６】
請求項１の考案は、手袋内部が内綿層とされ、外部が外ゴム層とされた抓持力を強化した工業用手袋において、手袋成形後に、上述の外ゴム層の手指部分が抓持力強化可能なゴム液中に浸漬され、取り出し並びに加熱されて、外ゴム層より厚さが２０〜３０％増加された強化層が形成されたことを特徴とする、抓持力を強化した工業用手袋としている。
請求項２の考案は、請求項１記載の抓持力を強化した工業用手袋において、強化層はポリウレタン材質とされたことを特徴とする、抓持力を強化した工業用手袋としている。
請求項３の考案は、請求項１記載の抓持力を強化した工業用手袋において、強化層が指先から指の第１及び第２関節の間まで延伸されたことを特徴とする、抓持力を強化した工業用手袋としている。
請求項４の考案は、請求項１記載の抓持力を強化した工業用手袋において、外ゴム層の材料がポリ塩化ビニル、天然ゴム、或いはニトライルブタジエンゴムとされたことを特徴とする、抓持力を強化した工業用手袋としている。
請求項５の考案は、抓持力を強化した工業用手袋において、内綿層と外ゴム層及び手指部分の抓持力を強化する強化層を包含し、該内綿層は手型に嵌合された後にゴム液に浸漬され、手型取り出し後に、内綿層に付着したゴム液が加熱されて乾燥され外ゴム層が形成され、その後、更に手袋の手指部分が別の抓持力強化可能なポリウレタンに浸漬され、抓持力強化可能なポリウレタンが手袋の手指部分に付着した後に、手指部分の厚さがその他の部分より２０〜３０％増加し、更に加熱されて形成されたことを特徴とする、抓持力を強化した工業用手袋としている。
請求項６の考案は、請求項５記載の抓持力を強化した工業用手袋において、強化層が指先から指の第１及び第２関節の間まで延伸されたことを特徴とする、抓持力を強化した工業用手袋としている。
請求項７の考案は、請求項５記載の抓持力を強化した工業用手袋において、外ゴム層の材料がポリ塩化ビニル、天然ゴム、或いはニトライルブタジエンゴムとされたことを特徴とする、抓持力を強化した工業用手袋としている。
【考案の効果】
【０００７】
本考案の提供する手袋は、従来の技術に比べて簡単快速に製造可能である。更に、ほとんどの人が手袋を使用する時は手指の部分で作業を行うため、本考案は手指部分の厚さを増し、有効に手袋の耐用性を増している。
【考案を実施するための最良の形態】
【０００８】
図１及び図２に示されるように、本考案の工業用手袋は、内部が内綿層１、外部が外ゴム層２とされ、並びに手指部分に抓持力強化の強化層３が形成されている。そのうち、強化層３の厚さは外ゴム層２より２０〜３０％多い。
【０００９】
強化層３はポリウレタン材質とされるか、或いはその他の外ゴム層２に付着し並びに外ゴム層を強化可能な材質とされる。
【００１０】
強化層３の手指部分の長さは、指先から下向きに第１及び第２関節の間まで延伸され、使用者が手袋着用後に、良好な抓持力を有する。
【００１１】
本考案の加工工程は図３に示されるようである。まず、内綿層１が手袋製造の手型外表面に嵌合された後、それがゴム液に浸漬される。手型取り出し後、内綿層１に付着したゴム液が加熱乾燥されて外ゴム層２が形成される。その後、成形された手袋の手指部分が別の抓持力強化可能なゴム液（例えばポリウレタン）に浸漬される。抓持力強化のゴム液が手袋の手指部分に付着した後、手指部分の厚さは他の部分より２０〜３０％増加する。再度加熱の後、抓持力を強化した工業用手袋が形成される。
【００１２】
本考案は製造時に、直接成形した手袋の手指部分を抓持力強化可能なゴム液中に浸漬することにより、全体の製造過程を更に簡易化し、製造コストを下げることができる。
総合すると、本考案の提供する工業用手袋は、抓持力強化の効果を有し、実用新案登録の要件を具備している。
【図面の簡単な説明】
【００１３】
【図１】本考案の外観図である。
【図２】本考案の手指部分の拡大断面図である。
【図３】本考案の製造フローチャートである。
【符号の説明】
【００１４】
１  内綿層
２  外ゴム層
３  強化層
【図１】
0003115638.tif 000003
【図２】
0003115638.tif 000004
【図３】
0003115638.tif 000005